(57)【要約】【課題】不良在庫の商品が多数売れる店舗を抽出することができるサーバ装置、及びプログラムを提供する。【解決手段】サーバ装置は、受信手段と、第１抽出手段と、第２抽出手段と、出力手段と、を備える。前記受信手段は、所定期間に販売された各商品の数量が店舗ごとに示された店舗販売情報を受信する。前記第１抽出手段は、前記受信手段が受信した前記店舗販売情報から店舗で販売された数量が閾値よりも低い商品を抽出する。前記第２抽出手段は、前記第１抽出手段が抽出した商品が閾値よりも多数販売された店舗を抽出する。前記出力手段は、前記第２抽出手段が抽出した店舗を示す情報を出力する。【選択図】図５
2019191757.tif 000002
【特許請求の範囲】
【請求項１】
所定期間に販売された各商品の数量が店舗ごとに示された店舗販売情報を受信する受信手段と、
前記受信手段が受信した前記店舗販売情報から店舗で販売された数量が閾値よりも低い商品を抽出する第１抽出手段と、
前記第１抽出手段が抽出した商品が閾値よりも多数販売された店舗を抽出する第２抽出手段と、
前記第２抽出手段が抽出した店舗を示す情報を出力する出力手段と、
を備えるサーバ装置。
【請求項２】
前記第１抽出手段は、販売数量が閾値よりも低い商品のカテゴリーを抽出し、
前記第２抽出手段は、前記カテゴリーに属する商品が閾値よりも多数販売された店舗を抽出する、
請求項１に記載のサーバ装置。
【請求項３】
前記出力手段は、前記第１抽出手段が抽出した商品が閾値よりも多数販売された店舗に当該商品を移動させる伝票を出力する、
請求項１又は２に記載のサーバ装置。
【請求項４】
前記第１抽出手段が抽出した商品が閾値よりも多数販売された店舗に移動させる当該商品の数量を指定する入力を受け付ける入力手段を更に備え、
前記出力手段は、前記入力手段が受け付けた数量の前記商品を移動させる前記伝票を出力する、
請求項３に記載のサーバ装置。
【請求項５】
前記出力手段は、前記第１抽出手段が抽出した商品が閾値よりも多数販売された店舗が所定の店舗であることを条件に、事前に設定された数量の前記商品を移動させる前記伝票を出力する、
請求項３に記載のサーバ装置。
【請求項６】
コンピュータを、
所定期間に販売された各商品の数量が店舗ごとに示された店舗販売情報を受信する受信手段と、
前記受信手段が受信した前記店舗販売情報から店舗で販売された数量が閾値よりも低い商品を抽出する第１抽出手段と、
前記第１抽出手段が抽出した商品が閾値よりも多数販売された店舗を抽出する第２抽出手段と、
前記第２抽出手段が抽出した店舗を示す情報を出力する出力手段と、
として機能させるためのプログラム。
【発明の詳細な説明】
【技術分野】
【０００１】
本発明の実施形態は、サーバ装置、及びプログラムに関する。
【背景技術】
【０００２】
従来、スーパーマーケット等の店舗では、人気が無く売れ残ってしまった商品を不良在庫と呼称している。不良在庫は、売り場面積を縮小させる等の様々な弊害を店舗に及ぼしている。
【０００３】
ところで、人気のある商品は地域により異なっている場合がある。例えば、オフィス街と、住宅街とでは人気のある商品は異なっている。そのため、ある店舗では不良在庫の商品が、他の店舗では比較的に人気のある商品である場合がある。そこで、不良在庫の商品が多数売れる店舗を抽出する技術が求められている。
【発明の概要】
【発明が解決しようとする課題】
【０００４】
本発明が解決しようとする課題は、不良在庫の商品が多数売れる店舗を抽出することができるサーバ装置、及びプログラムを提供することである。
【課題を解決するための手段】
【０００５】
実施形態のサーバ装置は、受信手段と、第１抽出手段と、第２抽出手段と、出力手段と、を備える。前記受信手段は、所定期間に販売された各商品の数量が店舗ごとに示された店舗販売情報を受信する。前記第１抽出手段は、前記受信手段が受信した前記店舗販売情報から店舗で販売された数量が閾値よりも低い商品を抽出する。前記第２抽出手段は、前記第１抽出手段が抽出した商品が閾値よりも多数販売された店舗を抽出する。前記出力手段は、前記第２抽出手段が抽出した店舗を示す情報を出力する。
【図面の簡単な説明】
【０００６】
【図１】図１は、本実施形態にかかる在庫管理システムの一例を示す説明図である。
【図２】図２は、店舗サーバのハードウェア構成の一例を示すブロック図である。
【図３】図３は、店舗販売情報のデータ構成の一例を示す説明図である。
【図４】図４は、在庫管理サーバのハードウェア構成の一例を示すブロック図である。
【図５】図５は、在庫管理システムの各種装置が備える特徴的な機能構成の一例を示すブロック図である。
【図６】図６は、売上集計処理の一例を示すフローチャートである。
【図７】図７は、伝票出力処理の一例を示すフローチャートである。
【発明を実施するための形態】
【０００７】
以下、添付図面を参照して、サーバ装置及びプログラムの実施形態を詳細に説明する。なお、以下に説明する実施形態は、サーバ装置及びプログラムの一実施形態であって、その構成や仕様等を限定するものではない。本実施形態のサーバ装置及びプログラムは、各店舗の在庫を管理する在庫管理システムの在庫管理サーバへの適用例である。
【０００８】
図１は、本実施形態にかかる在庫管理システム１の一例を示す説明図である。在庫管理システム１は、各店舗の在庫を管理するシステムである。在庫管理システム１は、ＰＯＳ（Point  Of  Sales）端末１０と、店舗サーバ２０と、在庫管理サーバ３０とを備える。ＰＯＳ端末１０と、店舗サーバ２０とは、店舗内ネットワーク等のネットワークを介して通信可能に接続されている。また、店舗サーバ２０と、在庫管理サーバ３０とは、インターネットやＶＰＮ（Virtual  Private  Network）等のネットワークを介して通信可能に接続されている。また、在庫管理システム１は、ＰＯＳ端末１０と、店舗サーバ２０と、在庫管理サーバ３０とを其々何台備えていてもよい。
【０００９】
ＰＯＳ端末１０は、販売対象の商品を登録する登録処理と、登録処理により登録された商品の会計処理とを実行する販売データ処理装置である。ＰＯＳ端末１０は、精算処理等を実行した場合に、所定期間の売上を示した販売情報を店舗サーバ２０に送信する。販売情報には、販売した商品を識別可能な商品コードと、販売した商品の販売数量とが含まれている。なお、ＰＯＳ端末１０は、精算処理を実行した場合に限らず、取引が成立するごとに販売情報を店舗サーバ２０に送信してもよいし、他の要因で販売情報を店舗サーバ２０に送信してもよい。
【００１０】
店舗サーバ２０は、店舗に設置されたＰＯＳ端末１０を管理するサーバ装置である。店舗サーバ２０は、ＰＯＳ端末１０から受信した販売情報により店舗の売上を集計する。そして、店舗サーバ２０は、所定期間の店舗の売上を示した店舗販売情報２０８（図２参照）を在庫管理サーバ３０に送信する。
【００１１】
在庫管理サーバ３０は、各店舗の在庫を管理するサーバ装置である。在庫管理サーバ３０は、複数台のサーバ装置等により形成されていてもよい。また、在庫管理サーバ３０は、ハードウェアやソフトウェア等のコンピュータ資源を提供するクラウドサービス等により提供されるものであってもよい。
【００１２】
在庫管理サーバ３０は、店舗サーバ２０から受信した店舗販売情報２０８に基づいて、不良在庫を抽出する。不良在庫とは、期間内の販売数量が閾値以下の商品種別である。さらに詳しくは、不良在庫とは、例えば在庫回転率が閾値以下の商品種別である。在庫回転率は、期間内の販売数量を、期間内の平均在庫数で除算することで算出される。また、在庫管理サーバ３０は、不良在庫の商品の抽出において、商品種別の単位と、商品カテゴリーの単位とで抽出する。ここで、商品カテゴリーとは、商品の属性に応じて区分けした各グループである。そして、商品の個々の種別である商品種別、複数の商品種別を有する商品クラス、複数の商品クラスを有する商品部門の順番で商品が区分けされている場合に、在庫管理サーバ３０は、例えば商品クラスや商品部門等の商品カテゴリーの単位で不良在庫を抽出する。
【００１３】
また、在庫管理サーバ３０は、不良在庫の商品が多数売れる店舗を検索する。そして、在庫管理サーバ３０は、不良在庫の商品が多数売れる店舗を抽出した場合に、抽出した店舗に不良在庫の商品を移動させる伝票を出力する。
【００１４】
次に、在庫管理システム１の各種装置のハードウェア構成について説明する。
【００１５】
図２は、店舗サーバ２０のハードウェア構成の一例を示すブロック図である。店舗サーバ２０は、制御部２０１と、記憶部２０２と、通信インタフェース２０３と、表示部２０４と、操作部２０５とを備える。これら各部は、データバスやアドレスバス等のシステムバス２０６を介して相互に接続している。
【００１６】
制御部２０１は、店舗サーバ２０の全体の動作を制御し、店舗サーバ２０が有する各種の機能を実現するコンピュータである。制御部２０１は、ＣＰＵ（Central  Processing  Unit）と、ＲＯＭ（Read  Only  Memory）と、ＲＡＭ（Random  Access  Memory）とを備える。ＣＰＵは、店舗サーバ２０の動作を統括的に制御する。ＲＯＭは、電力が供給されていなくても各種データを保持する不揮発性の記憶媒体である。ＲＡＭは、指定した領域に対してデータを読み書き可能な記憶媒体である。そして、ＣＰＵは、ＲＡＭをワークエリア（作業領域）としてＲＯＭ又は記憶部２０２等に格納されたプログラムを実行する。
【００１７】
記憶部２０２は、ＨＤＤ（Hard  Disk  Drive）やＳＳＤ（Solid  State  Drive）などの記憶装置である。記憶部２０２は、制御プログラム２０７と、店舗販売情報２０８とを記憶する。
【００１８】
制御プログラム２０７は、オペレーティングシステムや、店舗サーバ２０が備えている機能を発揮させるためのプログラムである。制御プログラム２０７には、本実施形態に係る特徴的な機能を発揮させるプログラムが含まれる。
【００１９】
店舗販売情報２０８は、店舗で所定期間に販売された各商品の数量を示す情報である。ここで、図３は、店舗販売情報２０８のデータ構成の一例を示す説明図である。店舗販売情報２０８は、商品に関するコード情報と、合計販売数量とを関連付けて記憶している。コード情報には、商品部門コードと、商品クラスコードと、商品コードとが含まれる。商品部門コードは、商品部門を識別可能な情報である。商品部門コードには、商品部門コードの商品クラスに属している商品クラスの商品クラスコードが関連付けられている。商品クラスコードは、商品クラスを識別可能な情報である。そして、商品クラスコードには、商品クラスコードの商品クラスに属している商品の商品コードが関連付けられている。商品コードは、商品種別を識別可能な情報である。合計販売数量は、所定期間の販売数量の合計を記憶している。合計販売数量には、商品部門ごとの合計販売数量と、商品クラスごとの合計販売数量と、商品ごとの合計販売数量とが含まれる。
【００２０】
通信インタフェース２０３は、ネットワークを介して、ＰＯＳ端末１０や、在庫管理サーバ３０等の情報処理装置と通信するためのインタフェースである。
【００２１】
表示部２０４は、例えば液晶ディスプレイ等である。操作部２０５は、例えばキーボードやマウス等の入力装置である。
【００２２】
図４は、在庫管理サーバ３０のハードウェア構成の一例を示すブロック図である。在庫管理サーバ３０は、制御部３０１と、記憶部３０２と、通信インタフェース３０３と、表示部３０４と、操作部３０５とを備える。これら各部は、データバスやアドレスバス等のシステムバス３０６を介して相互に接続している。
【００２３】
制御部３０１は、在庫管理サーバ３０の全体の動作を制御し、在庫管理サーバ３０が有する各種の機能を実現するコンピュータである。制御部３０１は、ＣＰＵと、ＲＯＭと、ＲＡＭとを備える。ＣＰＵは、在庫管理サーバ３０の動作を統括的に制御する。ＲＯＭは、電力が供給されていなくても各種データを保持する不揮発性の記憶媒体である。ＲＡＭは、指定した領域に対してデータを読み書き可能な記憶媒体である。そして、ＣＰＵは、ＲＡＭをワークエリア（作業領域）としてＲＯＭ又は記憶部３０２等に格納されたプログラムを実行する。
【００２４】
記憶部３０２は、ＨＤＤやＳＳＤなどの記憶装置である。記憶部３０２は、制御プログラム３０７と、店舗別販売情報３０８と、不良在庫閾値情報３０９と、店舗抽出閾値情報３１０と、店舗マスタ３１１と、商品マスタ３１２とを記憶する。
【００２５】
制御プログラム３０７は、オペレーティングシステムや、在庫管理サーバ３０が備えている機能を発揮させるためのプログラムである。制御プログラム３０７には、本実施形態に係る特徴的な機能を発揮させるプログラムが含まれる。
【００２６】
店舗別販売情報３０８は、店舗ごとの店舗販売情報２０８を有する情報である。すなわち、店舗別販売情報３０８は、店舗を識別可能な店舗コードと、店舗コードの店舗の店舗販売情報２０８とを有する情報である。
【００２７】
不良在庫閾値情報３０９は、不良在庫であるか否かの判定基準となる閾値を記憶した情報テーブルである。例えば、不良在庫閾値情報３０９は、不良在庫と判定される販売数量を記憶している。不良在庫閾値情報３０９は、商品部門ごとの閾値と、商品クラスごとの閾値と、商品種別ごとの閾値とを記憶している。閾値は、各店舗で共通した値であってもよいし、店舗ごとに異なる値であってもよい。また、閾値は、店舗ごとに設定される任意の値であってもよい。さらに、閾値は、売上金額や店舗の敷地面積等の店舗の規模に応じて算出される値であってもよい。
【００２８】
店舗抽出閾値情報３１０は、不良在庫が多数売れている店舗として抽出するか否かの判定基準となる閾値である。例えば、店舗抽出閾値情報３１０は、多数売れていると判定される販売数量を記憶している。閾値は、不良在庫閾値情報３０９の閾値と同一の値であってもよいし、異なる値であってもよい。また、閾値は、各店舗で共通した値であってもよいし、店舗ごとに異なる値であってもよい。また、閾値は、店舗ごとに設定される任意の値であってもよい。さらに、閾値は、売上金額や店舗の敷地面積等の店舗の規模に応じて算出される値であってもよい。
【００２９】
店舗マスタ３１１は、店舗に関する各種情報を記憶するデータベースである。店舗マスタ３１１は、店舗コードと、名称と、連絡先と、住所と、店員有無情報とを関連付けて記憶する。店舗コードは、店舗を識別可能な識別情報である。名称は、店舗の名称を示す情報である。連絡先は、店舗の連絡先を示す情報である。例えば、連絡先は、メールアドレス等である。住所は、店舗の住所を示す情報である。店員有無情報は、商品の仕入れ等の在庫管理を行う店員がいるか否かを示す情報である。
【００３０】
商品マスタ３１２は、商品に関する各種情報を記憶するデータベースである。商品マスタ３１２は、商品コードと、商品クラスコードと、商品部門コードと、返品可否情報とを関連付けて記憶している。商品コードは、商品を識別可能な識別情報である。商品クラスコードは、商品が属している商品クラスを示す情報である。商品部門コードは、商品が属している商品部門を示す情報である。返品可否情報は、返品可能な商品であるか否かを示す情報である。
【００３１】
通信インタフェース３０３は、ネットワークを介して、ＰＯＳ端末１０や、在庫管理サーバ３０等の情報処理装置と通信するためのインタフェースである。
【００３２】
表示部３０４は、例えば液晶ディスプレイ等である。操作部３０５は、例えばキーボードやマウス等の入力装置である。
【００３３】
次に、在庫管理システム１の各種装置が備える特徴的な機能について説明する。ここで、図５は、在庫管理システム１の各種装置が備える特徴的な機能構成の一例を示すブロック図である。
【００３４】
店舗サーバ２０の制御部２０１は、記憶部２０２の制御プログラム２０７をＲＡＭに展開し、制御プログラム２０７に従って動作することで、図５に示す各機能部をＲＡＭ上に生成する。具体的には、店舗サーバ２０の制御部２０１は、機能部として、通信制御部２００１、及び売上集計部２００２を備える。
【００３５】
通信制御部２００１は、通信インタフェース２０３を制御して、ネットワークに接続された装置との通信を制御する。例えば、通信制御部２００１は、ＰＯＳ端末１０や在庫管理サーバ３０との通信を制御する。
【００３６】
売上集計部２００２は、通信制御部２００１がＰＯＳ端末１０から販売情報を受信した場合に、販売情報に基づいて、店舗販売情報２０８を更新する。さらに詳しくは、売上集計部２００２は、販売情報に含まれている商品コードの商品の合計販売数量に、販売情報に含まれている販売数量を加算する。さらに、売上集計部２００２は、販売情報に含まれている商品コードの商品が属する商品クラス及び商品部門の合計販売数量に、販売情報に含まれている販売数量を加算する。また、売上集計部２００２は、店舗販売情報２０８と、店舗販売情報２０８が示している販売が行われた店舗の店舗コードとを通信制御部２００１に送信させる。
【００３７】
在庫管理サーバ３０の制御部３０１は、記憶部３０２の制御プログラム３０７をＲＡＭに展開し、制御プログラム３０７に従って動作することで、図５に示す各機能部をＲＡＭ上に生成する。具体的には、在庫管理サーバ３０の制御部３０１は、機能部として、通信制御部３００１、表示制御部３００２、店舗別売上集計部３００３、不良在庫抽出部３００４、店舗抽出部３００５、移動処理部３００６、及び返品処理部３００７を備える。
【００３８】
通信制御部３００１は、受信手段の一例である。通信制御部３００１は、通信インタフェース３０３を制御して、ネットワークに接続された装置との通信を制御する。例えば、通信制御部３００１は、店舗サーバ２０との通信を制御する。
【００３９】
表示制御部３００２は、表示部３０４を制御して各種画面を表示させる。
【００４０】
店舗別売上集計部３００３は、通信制御部３００１が店舗サーバ２０から店舗販売情報２０８と、店舗販売情報２０８が示している販売が行われた店舗の店舗コードとを受信した場合に、店舗販売情報２０８に基づいて、店舗別販売情報３０８を更新する。さらに詳しくは、店舗別売上集計部３００３は、店舗別販売情報３０８において、受信した店舗コードに関連付けられている各商品の合計販売数量に、店舗販売情報２０８が示している各商品の合計販売数量を加算する。さらに、店舗別売上集計部３００３は、加算した商品が属する商品クラス及び商品部門の合計販売数量も同様に加算する。
【００４１】
不良在庫抽出部３００４は、第１抽出手段の一例である。不良在庫抽出部３００４は、店舗別販売情報３０８と、不良在庫閾値情報３０９とを対比して、不良在庫を抽出する。さらに詳しくは、不良在庫抽出部３００４は、店舗別販売情報３０８に記憶された所定期間に店舗で販売された合計販売数量が、不良在庫閾値情報３０９に記憶された閾値以下の商品等のコード情報を抽出する。不良在庫抽出部３００４は、商品種別ごとに不良在庫を抽出する場合、商品コードを抽出する。また、不良在庫抽出部３００４は、商品クラスや商品部門等の商品カテゴリーごとに不良在庫を抽出する場合、商品クラスコードや商品部門コードを抽出する。
【００４２】
店舗抽出部３００５は、第２抽出手段の一例である。店舗抽出部３００５は、店舗別販売情報３０８と、店舗抽出閾値情報３１０とを対比して、不良在庫抽出部３００４が抽出した不良在庫の商品等が多数販売された店舗を抽出する。さらに詳しくは、店舗抽出部３００５は、店舗別販売情報３０８に記憶された所定期間に販売された合計販売数量が、店舗抽出閾値情報３１０に記憶された閾値以上の店舗の店舗コードを抽出する。ここで、不良在庫抽出部３００４が商品コードを抽出した場合には、店舗抽出部３００５は、商品コードの商品の合計販売数量が、店舗抽出閾値情報３１０に記憶された閾値以上の店舗の店舗コードを抽出する。また、不良在庫抽出部３００４が商品クラスコードや商品部門コード等の商品カテゴリーを抽出した場合には、店舗抽出部３００５は、該当する商品カテゴリーの合計販売数量が、店舗抽出閾値情報３１０に記憶された閾値以上の店舗の店舗コードを抽出する。
【００４３】
移動処理部３００６は、出力手段、及び入力手段の一例である。移動処理部３００６は、不良在庫抽出部３００４が抽出した不良在庫を、店舗抽出部３００５が抽出した店舗に移動させる移動伝票を出力する移動処理を実行する。移動処理部３００６は、店舗抽出部３００５が店舗を抽出した場合に、店舗抽出部３００５が抽出した移動先の店舗に商品を移動させる移動入力画面を表示制御部３００２に表示させる。
【００４４】
例えば、移動入力画面には、不良在庫表示領域と、移動元店舗コードと、移動先店舗リストと、店舗コード入力欄と、移動数量入力欄とが含まれている。不良在庫表示領域は、不良在庫抽出部３００４が抽出した不良在庫のコード情報と、不良在庫がる店舗を示す店舗コード等を表示した領域である。移動先店舗入力欄は、店舗抽出部３００５が抽出した一又は複数の店舗から、不良在庫の商品を移動させる移動先の店舗の店舗コード等を入力する欄である。移動数量入力欄は、移動させる商品の数量を指定する入力する欄である。また、不良在庫として商品カテゴリーが抽出された場合に、移動入力画面は、商品カテゴリーに属する商品種別のうち移動させる商品を指定する入力欄を備えていてもよい。
【００４５】
移動処理部３００６は、移動入力画面の入力欄に入力した入力内容を確定する操作を受け付けた場合に、移動入力画面の移動元の店舗から移動先の店舗に指定された数量の商品を移動させる移動伝票を生成する。そして、移動処理部３００６は、生成した移動伝票を出力する。ここで、移動処理部３００６による移動伝票の出力形態は限定しない。すなわち、移動処理部３００６は、移動伝票のデータを店舗サーバ２０に送信させたり、移動伝票を表示させたり、移動伝票を印字させたりする。
【００４６】
なお、移動処理部３００６は、店舗サーバ２０等の他の情報処理装置に、移動入力画面を表示させる画面情報を通信制御部３００１に送信させてもよい。この場合、移動処理部３００６は、移動入力画面の画面情報を送信した情報処理装置から送信された情報に応じて移動伝票を生成する。例えば、商品の移動先の店舗の店舗サーバ２０に移動入力画面の画面情報を送信した場合、移動先の店舗で在庫管理を行っている店員等が移動させる商品の数量を指定することができる。そして、移動処理部３００６は、指定された数量の商品を移動させる移動伝票を生成する。よって、移動処理部３００６は、移動先の店舗の状況に応じた数量の商品を移動させる移動伝票を生成することができる。
【００４７】
また、移動処理部３００６は、店舗抽出部３００５が抽出した店舗が所定の店舗であることを条件に、事前に設定された数量の商品を移動させる移動伝票を出力する。さらに詳しくは、移動処理部３００６は、店舗マスタ３１１の店員有無情報に基づいて、店舗抽出部３００５が抽出した店舗には在庫管理を行う店員がいないと判定した場合には、移動入力画面の表示を省略する。そして、移動処理部３００６は、事前に設定された移動設定に基づいて、移動させる数量を決定する。移動処理部３００６は、決定した数量の商品を移動させる移動伝票を出力する。ここで、移動設定は、移動させる商品の上限等の具体的な数値であってもよいし、移動させる数量を導出する計算式であってもよい。
【００４８】
返品処理部３００７は、不良在庫抽出部３００４が抽出した不良在庫を返品させる返品伝票を出力する返品処理を実行する。例えば、返品処理部３００７は、店舗抽出部３００５が不良在庫の商品等が多数売れている店舗を抽出することができない場合に、商品マスタ３１２の返品可否情報に基づいて、不良在庫の商品等を返品可能であるか否かを判定する。返品処理部３００７は、不良在庫の商品等が返品可能である場合に、返品入力画面を表示制御部３００２に表示させる。
【００４９】
例えば、返品入力画面には、不良在庫の商品や商品カテゴリーのコード情報と、商品を返品する店舗の店舗コードとが含まれている。さらに、返品入力画面には、返品対象のコード情報と、返品する数量を指定する入力欄とが含まれている。返品処理部３００７は、返品入力画面の入力欄に入力した入力内容を確定する操作を受け付けた場合に、返品入力画面の店舗から指定された数量の商品を返品する返品伝票を生成する。そして、返品処理部３００７は、生成した返品伝票を出力する。ここで、返品処理部３００７による返品伝票の出力形態は限定しない。すなわち、返品処理部３００７は、返品伝票のデータを店舗サーバ２０に送信させたり、返品伝票を表示させたり、返品伝票を印字させたりする。
【００５０】
なお、返品処理部３００７は、店舗サーバ２０等の他の情報処理装置に、返品入力画面を表示させる画面情報を通信制御部３００１に送信させてもよい。この場合、返品処理部３００７は、返品入力画面の画面情報を送信した情報処理装置から送信された情報に応じて返品伝票を生成する。例えば、商品を返品する店舗の店舗サーバ２０に返品入力画面の画面情報を送信した場合、商品を返品する店舗で商品の在庫管理行う店員等が移動させる商品の数量を指定することができる。そして、返品処理部３００７は、指定された数量の商品を返品する返品伝票を生成する。よって、返品処理部３００７は、店舗の状況に応じた数量の商品を返品する返品伝票を生成することができる。
【００５１】
次に、店舗サーバ２０が実行する売上集計処理について説明する。ここで、図６は、本実施形態の店舗サーバ２０が実行する売上集計処理の一例を示すフローチャートである。
【００５２】
通信制御部２００１は、ＰＯＳ端末１０から販売情報を受信する（ステップＳ１１）。
【００５３】
売上集計部２００２は、ＰＯＳ端末１０から販売情報に基づいて、店舗販売情報２０８の各商品種別の合計販売数量を更新する（ステップＳ１２）。
【００５４】
売上集計部２００２は、ＰＯＳ端末１０から販売情報に基づいて、店舗販売情報２０８の各商品クラスの合計販売数量を更新する（ステップＳ１３）。
【００５５】
売上集計部２００２は、ＰＯＳ端末１０から販売情報に基づいて、店舗販売情報２０８の各商品部門の合計販売数量を更新する（ステップＳ１４）。
【００５６】
通信制御部２００１は、更新した店舗販売情報２０８を送信する（ステップＳ１５）。
【００５７】
店舗サーバ２０は、以上により売上集計処理を終了する。
【００５８】
次に、在庫管理サーバ３０が実行する伝票出力処理について説明する。ここで、図７は、本実施形態の在庫管理サーバ３０が実行する伝票出力処理の一例を示すフローチャートである。
【００５９】
不良在庫抽出部３００４は、店舗別販売情報３０８から不良在庫を抽出する（ステップＳ２１）。
【００６０】
不良在庫抽出部３００４は、抽出結果に基づいて、不良在庫があるか否かを判定する（ステップＳ２２）。不良在庫が無いことを条件に（ステップＳ２２；Ｎｏ）、在庫管理サーバ３０は、伝票出力処理を終了する。
【００６１】
不良在庫が有ることを条件に（ステップＳ２２；Ｙｅｓ）、店舗抽出部３００５は、不良在庫の商品が閾値よりも多数売れている店舗を店舗別販売情報３０８から抽出する（ステップＳ２３）。
【００６２】
店舗抽出部３００５は、抽出結果に基づいて、不良在庫の商品が閾値よりも多数売れている店舗が有るか否かを判定する（ステップＳ２４）。不良在庫の商品が閾値よりも多数売れている店舗が有ることを条件に（ステップＳ２４；Ｙｅｓ）、店舗抽出部３００５は、店舗マスタ３１１の店員有無情報に基づいて、該当する店舗に在庫管理を行う店員がいるか否かを判定する（ステップＳ２５）。
【００６３】
在庫管理を行う店員がいることを条件に（ステップＳ２５；Ｙｅｓ）、表示制御部３００２は、移動させる商品の数量等を入力する移動入力画面を表示させる（ステップＳ２６）。
【００６４】
移動処理部３００６は、移動入力画面で入力された数量の商品を移動させる移動伝票を出力する（ステップＳ２７）。そして、在庫管理サーバ３０は、伝票出力処理を終了する。
【００６５】
ステップＳ２５において、在庫管理を行う店員がいないことを条件に（ステップＳ２５；Ｎｏ）、事前に設定された移動設定に基づいて決定された数量の商品を移動させる移動伝票を出力する（ステップＳ２８）。そして、在庫管理サーバ３０は、伝票出力処理を終了する。
【００６６】
ステップＳ２４において、不良在庫の商品が閾値よりも多数売れている店舗が無いことを条件に（ステップＳ２４；Ｎｏ）、返品処理部３００７は、商品マスタ３１２の返品可否情報に基づいて、不良在庫の商品を返品可能であるか否かを判定する（ステップＳ２９）。
【００６７】
返品不可であることを条件に（ステップＳ２９；Ｎｏ）、在庫管理サーバ３０は、伝票出力処理を終了する。
【００６８】
返品可能であることを条件に（ステップＳ２９；Ｙｅｓ）、表示制御部３００２は、返品する商品の数量等を入力する返品入力画面を表示させる（ステップＳ３０）。
【００６９】
移動処理部３００６は、返品入力画面で入力された数量の商品を返品する返品伝票を出力する（ステップＳ３１）。
【００７０】
在庫管理サーバ３０は、以上により伝票出力処理を終了する。
【００７１】
以上のように、本実施形態にかかる在庫管理サーバ３０によれば、店舗別売上集計部３００３は、店舗ごとに、所定期間に販売された各商品の数量を店舗別販売情報３０８に記憶させる。不良在庫抽出部３００４は、不良在庫の判定基準となる閾値を有する不良在庫閾値情報３０９に基づいて、店舗別販売情報３０８から不良在庫を抽出する。また、店舗抽出部３００５は、不良在庫抽出部３００４が抽出した不良在庫が多数販売された店舗を抽出する。そして、表示制御部３００２は、店舗抽出部３００５が抽出した不良在庫が多数販売された店舗を移動入力画面に表示させる。よって、本実施形態に係る在庫管理サーバ３０は、不良在庫の商品が多数売れる店舗を抽出することができる。
【００７２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７３】
また、上記実施形態では、在庫管理サーバ３０の不良在庫抽出部３００４が不良在庫の抽出を実行した。しかしながら、不良在庫抽出部３００４は、店舗サーバ２０が備えていてもよい。この場合、店舗サーバ２０は、在庫管理サーバ３０に不良在庫を通知する。そして、在庫管理サーバ３０は、通知された不良在庫の商品が多数売れている店舗を抽出する。
【００７４】
上記実施形態や変形例の各装置で実行されるプログラムは、各装置が備える記憶媒体（ＲＯＭ又は記憶部）に予め組み込んで提供するものとするが、これに限らないものとする。例えば、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００７５】
また、上記実施形態や変形例の各装置で実行されるプログラムをインターネット等のネットワークに接続されたコンピュータ上に格納し、ネットワーク経由でダウンロードさせることにより提供するように構成してもよいし、インターネット等のネットワーク経由で提供又は配布するように構成してもよい。
【符号の説明】
【００７６】
１  在庫管理システム
１０  ＰＯＳ端末
２０  店舗サーバ
３０  在庫管理サーバ
２０８  店舗販売情報
３０８  店舗別販売情報
３０９  不良在庫閾値情報
３１０  店舗抽出閾値情報
３１１  店舗マスタ
３１２  商品マスタ
２００１、３００１  通信制御部
２００２  売上集計部
３００２  表示制御部
３００３  店舗別売上集計部
３００４  不良在庫抽出部
３００５  店舗抽出部
３００６  移動処理部
３００７  返品処理部
【先行技術文献】
【特許文献】
【００７７】
【特許文献１】特開２００６−１２３５５０号公報
【図１】
2019191757.tif 000003
【図２】
2019191757.tif 000004
【図３】
2019191757.tif 000005
【図４】
2019191757.tif 000006
【図５】
2019191757.tif 000007
【図６】
2019191757.tif 000008
【図７】
2019191757.tif 000009